(57)【要約】【課題】ランスが折損するのを防止し、ハウジングに対する保持力を高めることが可能な端子金具を提供する。【解決手段】端子金具１０は、ハウジング６０のキャビティ６１に挿入される端子本体１１と、端子本体１１の外壁に連なる付け根部から先端部にかけて傾斜して延び、先端部がキャビティ６１の壁面に抜け止め状態で係止される撓み変形可能なランス２８と、を備える。ランス２８の先端部側には、被引掛部３６が連設される。端子本体１１の外壁には、被引掛部３６に対し、ランス２８がキャビティ６１への挿入過程で撓む方向とは反対側から当たることが可能な引掛部３８が連設される。【選択図】図１
2020087844.tif 000002
【特許請求の範囲】
【請求項１】
ハウジングのキャビティに挿入される端子本体と、
前記端子本体の外壁に連なる付け根部から先端部にかけて傾斜して延び、前記先端部が前記キャビティの壁面に抜け止め状態で係止される撓み変形可能なランスと、
前記ランスの前記先端部側に連設される被引掛部と、
前記端子本体の外壁に連設され、前記被引掛部に対し、前記ランスが前記キャビティへの挿入過程で撓む方向とは反対側から当たることが可能な引掛部と、を備える端子金具。
【請求項２】
前記被引掛部は、前記ランスの前記先端部側の壁にその壁面に沿って連続して設けられている請求項１に記載の端子金具。
【請求項３】
前記引掛部は、前記端子本体の外壁にその壁面に沿って連続して設けられている請求項１または請求項２に記載の端子金具。
【請求項４】
前記ランスの前記先端部は、前記ランスの撓み方向と交差する幅方向に延びる形状をなし、前記被引掛部は、前記先端部の幅方向一端側の壁から連続して設けられている請求項１ないし請求項３のいずれか１項に記載の端子金具。
【発明の詳細な説明】
【技術分野】
【０００１】
本発明は、端子金具に関する。
【背景技術】
【０００２】
特許文献１には、ロックばね（以下、ランスという）を有するコンタクトユニット（以下、端子金具という）が開示されている。端子金具は、ランスによってハウジングのコンタクトチャンバ内にロックされる。ランスは、先端部にハウジング接続部分を有している。同文献の図２には、ハウジング接続部分のロック肩部（図中符号１４９）がハウジングの壁（図中符号３２０）に当たった状態が図示されている。
【先行技術文献】
【特許文献】
【０００３】
【特許文献１】特開２０１７−１６８４４５号公報
【発明の概要】
【発明が解決しようとする課題】
【０００４】
上記の場合、端子金具がハウジングに収容される前の単体状態で、ハウジング接続部分に電線などの異物が引っ掛かるように干渉し、ランスが反転方向に傾動して折損するおそれがあった。
【０００５】
本発明は上記のような事情に基づいて完成されたものであって、ランスが折損するのを防止し、ハウジングに対する保持力を高めることが可能なコネクタを提供することを目的とする。
【課題を解決するための手段】
【０００６】
本発明は、ハウジングのキャビティに挿入される端子本体と、前記端子本体の外壁に連なる付け根部から先端部にかけて傾斜して延び、前記先端部が前記キャビティの壁面に抜け止め状態で係止される撓み変形可能なランスと、前記ランスの前記先端部側に連設される被引掛部と、前記端子本体の外壁に連設され、前記被引掛部に対し、前記ランスが前記キャビティへの挿入過程で撓む方向とは反対側から当たることが可能な引掛部と、を備えるところに特徴を有する。
【０００７】
端子金具がハウジングに収容される前の単体状態にあるときに、ランスの先端部に異物が干渉すると、ランスがキャビティへの挿入過程で撓む方向とは反対側に変位し、さらに反転して折損する懸念がある。しかるに上記構成によれば、ランスの先端部側に連設された被引掛部が端子本体の外壁に連設された引掛部に当たって、ランスの反転動作が規制されるため、ランスが折損するのを防止することができる。
【０００８】
端子金具がハウジングに収容された後、端子金具にキャビティから抜け出る方向への引き抜き力が作用すると、ランスの先端部がキャビティの壁面に係止されるが、上記同様、被引掛部が引掛部に当たってランスの反転動作が規制される。その結果、ハウジングにランスを強固に係止させることが可能となり、ハウジングに対する端子金具の保持力を高めることができる。
【図面の簡単な説明】
【０００９】
【図１】本発明の実施例１に係る端子金具において、端子金具がハウジングのキャビティに挿入された状態を示す側面図である。
【図２】端子金具の平面図である。
【図３】端子金具の正面図である。
【図４】端子金具の左側面図である。
【図５】端子金具の右側面図である。
【図６】図５のＡ−Ａ線断面図である。
【図７】端子金具の展開図である。
【発明を実施するための形態】
【００１０】
本発明の好ましい形態を以下に示す。
（１）被引掛部は、ランスの先端部側の壁にその壁面に沿って連続して設けられているとよい。これによれば、ランスが従来のものと比べて格別複雑な構造になることがなく、比較的簡単に被引掛部を形成することができる。
（２）引掛部は、端子本体の外壁にその壁面に沿って連続して設けられているとよい。これによれば、端子本体が従来のものと比べて格別複雑な構造になることがなく、比較的簡単に引掛部を形成することができる。
（３）前記ランスの前記先端部は、前記ランスの撓み方向と交差する幅方向に延びる形状をなし、前記被引掛部は、前記先端部の幅方向一端側の壁から連続して設けられているとよい。ランスの先端部がキャビティの壁面に係止された状態で、端子金具に引き抜き力が作用すると、ランスの先端部の幅方向一端側では被引掛部が引掛部に当たって係止状態に保持される一方、ランスの先端部の幅方向他端側では幅方向一端側へ向けて傾動して持ち上がる結果、ランスの先端部がキャビティの壁面に係止される係止代を増大させることができる。その結果、ハウジングに対する端子金具の保持力をいっそう高めることができる。
【００１１】
＜実施例１＞
本発明の実施例１を図１〜図７によって説明する。本実施例１に係る端子金具１０は、導電性の金属板を図７に示す展開形状に打ち抜いた後、曲げ加工などして一体に成形される。端子金具１０は、コネクタのハウジング６０に収容される。なお、以下の説明において、前後方向については図１、図２および図５の左側を前側とし、上下方向は、図１、図３〜図６の上下方向を基準とする。
【００１２】
ハウジング６０は合成樹脂製であって、図１に示すように、前後方向に貫通するキャビティ６１と、キャビティ６１に交差して連通するランス受け部６２とを有している。また、ハウジング６０は、ランス受け部６２の後面に、上下方向に沿った係止面６３を有している。本実施例１の場合、コネクタは非防水タイプであり、ハウジング６０にはシールリングやゴム栓などのシール部材が組み付けられることはない。
【００１３】
端子金具１０は、いわゆる雌端子金具であって前後方向に細長い形状とされ、ハウジング６０のキャビティ６１に後方から挿入される。端子金具１０は、図２、図４および図５に示すように、筒状の端子本体１１と、端子本体１１よりも後方に配置されるオープンバレル状のワイヤバレル１２と、ワイヤバレル１２よりも後方に配置されるオープンバレル状のインシュレーションバレル１３とを有している。ワイヤバレル１２は、図示しない電線の端末部において被覆の除去により露出する芯線部に圧着により接続される。インシュレーションバレル１３は、図示しない電線の端末部における被覆に圧着により接続される。
【００１４】
端子本体１１は、図３および図６に示すように、全体として多角筒状に組み上げられ、ワイヤバレル１２およびインシュレーションバレル１３から連続する底壁１４と、底壁１４の幅方向両端から立ち上がる一対の側壁１５、１６と、一方の側壁１５の上端部から他方の側壁１６にかけて架け渡される内側天壁１７と、他方の側壁１６の上端部から一方の側壁１５にかけて架け渡され、内側天壁１７の上側（外側）に配置される外側天壁１８とを有している。
【００１５】
端子本体１１内には、展開形状で内側天壁１７の前端から前方に突出する舌片部分（図７の符号１９を参照）を、後方へ折り返してなる接触部１９が設けられている。ハウジング６０が図示しない相手ハウジングに嵌合されると、相手ハウジングに収容された相手端子金具の雄タブ９０（図１を参照）が端子本体１１内に挿入され、接触部１９が雄タブ９０と弾性的に接触することで、両端子金具が電気的に接続される。
【００１６】
内側天壁１７は、図３に示すように、全体として幅方向に略水平に配置される。内側天壁１７は、図５に示すように、他方の側壁１６側に臨む先端部に、前後一対の係止突起２１を有している。他方の側壁１６には、各係止突起２１と対応する位置に、各係止突起２１が進入する前後一対の係止孔２２を有している。
【００１７】
一方の側壁１５の上端部は、内側天壁１７との間にスリット孔２３および切欠部２４（図７を参照）を介して折り曲げられることにより、図４に示すように、上下方向に凹凸状をなす下側段部２５として構成される。
【００１８】
外側天壁１８は、図３に示すように、全体として内側天壁１７よりも上側に浮いて配置される。外側天壁１８における一方の側壁１５寄りの部分は、下側段部２５へ向けて斜め下向きに傾斜して配置され、さらに一方の側壁１５の上方で下向きに屈曲され、その下端部に、図４に示すように、下側段部２５に対して上方から凹凸状に嵌まり込む上側段部２６が構成される。
【００１９】
端子本体１１は、図７に示すように、展開形状で他方の側壁１６から外側天壁１８にまたがる領域に有端ループ状の切り込み２７が入れられ、切り込み２７の内側の板片部分が上方へ起こされることにより、図４および図５に示すように、前端から後端にかけて斜め上方に延びるランス２８を形成する。ランス２８は、端子本体１１の前部領域に連なる切り込み２７の前端から後方へ少し入った位置に傾斜の起点となる支点部２９を有し、支点部２９を支点として上下方向に撓み変形可能とされている。
【００２０】
ランス２８は、図６に示すように、他方の側壁１６の壁面に段差なく連続する上下方向に沿った側板部３１と、上端の幅方向一端側にて幅方向に沿った上板部３２と、側板部３１と上板部３２とをつなぐ断面弧状の曲げ部３３とを有している。側板部３１、上板部３２および曲げ部３３は、ランス２８の前後方向の全長にわたって設けられている。上板部３２の後端部には、側板部３１に連なる側とは反対側の端部に、下向きに屈曲して延びる延設部３４が連設されている。
【００２１】
ランス２８は、図６に示すように、自由端となる後端（先端）に、側板部３１、上板部３２および延設部３４にわたって断面略Ｕ字形状に湾曲する形態の係止縁３５を有している。図４および図５に示すように、ランス２８の係止縁３５は、側面視において上端へ行くにしたがって逆テーパ状に後傾している。
【００２２】
ランス２８は、図１および図５に示すように、側板部３１の後端側から下方に突出した後、後方に突出する被引掛部３６を有している。被引掛部３６は、側板部３１と同様、板面を前後方向および上下方向に沿わせて配置される。図６に示すように、被引掛部３６は、側板部３１に対して幅方向（板厚方向）に段差なく連続するように側板部３１の壁面（板面）に沿って連設されている。図１および図５に示すように、被引掛部３６における後方への突出部分は、後述する引掛部に当たることが可能な当て部３７とされ、下端がランス２８の前方領域（支点部２９より前方の領域）の切り込み２７および内側天壁１７の上端と同じ高さ位置にて前後方向に沿って配置される。当て部３７の後端は、係止縁３５の後端（上端）よりも後方に位置している。
【００２３】
端子本体１１は、図７に示すように、外側天壁１８の後部における切り込み２７に臨む部分でかつ前後方向に関して被引掛部３６と重なる位置に、引掛部３８を有している。引掛部３８は、外側天壁１８の後部において、前後方向に沿った切り込み２７の縁部から幅方向一端側へ突出する板片状をなし、端子本体１１が組み上げられることで、図６に示すように、被引掛部３６の当て部３７の上方に位置するように構成される。引掛部３８は、外側天壁１８の後部の幅方向他端側と同様、板面を前後方向および幅方向に沿わせて配置される。図６に示すように、引掛部３８は、外側天壁１８の後部に対して上下方向（板厚方向）に段差なく連続するように外側天壁１８の後部の壁面（板面）に沿って連設されている。
【００２４】
引掛部３８は、図７に示すように、外側天壁１８の後部において、切り込み２７の後端縁部との間に、幅方向に沿ったスリット３９を有している。引掛部３８の前後長は、当て部３７の前後長より小さくされている。
【００２５】
端子本体１１は、図４および図５に示すように、内側天壁１７の各係止突起２１が他方の側壁１６の各係止孔２２に進入し、外側天壁１８の上側段部２６が一方の側壁１５の下側段部２５に嵌まり込むことで、筒形状を維持することが可能とされている。ランス２８は、支点部２９を起点として折り曲げられる。この場合に、ランス２８は、被引掛部３６の当て部３７の上端が引掛部３８に当たることでその以上の折り曲げが規制される。つまり、ランス２８の曲げ量を引掛部３８によって規定することができる。
【００２６】
端子金具１０がハウジング６０に収容される前の単体状態にあるときに、例えば、ランス２８にループ状の電線などの異物が引っ掛かると、ランス２８が過剰に持ち上がりさらに前方へ反転して塑性変形する懸念がある。しかるに本実施例１の場合、被引掛部３６の当て部３７の上端が引掛部３８に当たることにより、ランス２８の持ち上げ動作が規制され、ランス２８が反転するのを防止することができる。
【００２７】
端子金具１０がハウジング６０のキャビティ６１に挿入される過程では、上板部３２の後端上縁がキャビティ６１の壁面を摺動し、ランス２８が支点部２９を支点として下向きに撓み変形させられる。その後、端子金具１０がキャビティ６１に正規に挿入されると、ランス２８が弾性復帰してランス受け部６２に嵌まり込み、ランス２８の係止縁３５がランス受け部６２の係止面６３に対向して係止可能に配置される。これにより、端子金具１０がキャビティ６１内に抜け止め状態に保持される（図１を参照）。ランス２８が弾性復帰してランス受け部６２の係止面６３から実質的な圧力を受けていない自然状態では、被引掛部３６の当て部３７の上端は引掛部３８との間に若干の隙間をあけて配置される。
【００２８】
端子金具１０がキャビティ６１に正規に挿入された後、例えば、ハウジング６０の後面から後方へ引き出された図示しない電線が引っ張られると、ランス２８の係止縁３５がランス受け部６２の係止面６３に強く押し当てられ、ランス２８が係止縁３５の傾斜に沿って上方に持ち上がりさらに前方へ反転して塑性変形する懸念がある。しかるに本実施例１の場合、被引掛部３６の当て部３７の上端が引掛部３８に当たることにより、ランス２８の上方への撓み動作が規制される。その結果、ランス２８が反転するのを防止することができる。
【００２９】
特に、本実施例１の場合、被引掛部３６がランス２８の幅方向一端側の側板部３１にその壁面に沿って連続して設けられ、ランス２８の幅方向他端側が自由端部とされるため、被引掛部３６の当て部３７の上端が引掛部３８に当たった状態で、電線が後方へ引っ張られるなどして端子金具１０に引き抜き力が作用すると、ランス２８が幅方向一端側へ向けて軸周りに傾動し、ランス２８の幅方向他端側が上方に変位して係止面６３との係止代を増大させることができる。
【００３０】
以上説明したように、本実施例１によれば、端子金具１０がハウジング６０に収容されている状態のみならず、ハウジング６０に収容される前の単体状態にある場合においても、ランス２８の被引掛部３６が外側天壁１８の引掛部３８に当たることで、ランス２８の反転動作が規制されるため、ランス２８が折損するのを確実に防止することができる。したがって、ハウジング６０にランス２８を強固に係止させることが可能となり、ハウジング６０に対する端子金具１０の保持力を高めることができる。
【００３１】
また、被引掛部３６がランス２８の側板部３１の後端側（先端側）にその壁面に沿って連続して設けられているため、ランス２８が従来のものと比べて格別複雑な構造になることがなく、比較的簡単に被引掛部３６を形成することができる。しかも、引掛部３８も端子本体１１の外側天壁１８にその壁面に沿って連続して設けられているため、端子本体１１も従来のものと比べて格別複雑な構造になることがなく、比較的簡単に引掛部３８を形成することができる。
【００３２】
さらに、被引掛部３６がランス２８の側板部３１の後端部における幅方向一端側から連続して設けられているため、ランス２８の係止縁３５がランス受け部６２の係止面６３に係止された状態で、電線が後方へ引っ張られると、ランス２８の後端部の幅方向一端側では被引掛部３６が引掛部３８に当たって係止状態に保持される一方、ランス２８の後端部の幅方向他端側では幅方向一端側へ向けて傾動して持ち上がる。その結果、ランス２８の係止縁３５がランス受け部６２の係止面６３に係止される係止代を増大させることができ、ハウジング６０に対する端子金具１０の保持力をいっそう高めることができる。
【００３３】
＜他の実施例＞
以下、他の実施例を簡単に説明する。
（１）被引掛部は、ランスの後端部の幅方向両端部に対をなして連設されていてもよい。また、被引掛部は、ランスの後端部の幅方向中央部に連設されていてもよい。
（２）被引掛部は、自然状態において引掛部と当たった状態に維持される構造であってもよい。
（３）端子金具は、端子本体から前方に雄タブが突出する雄端子金具であってもよい。この場合、端子本体内から接触部を省略することができる。
【符号の説明】
【００３４】
１０…端子金具
１１…端子本体
２８…ランス
３１…側板部
３５…係止縁
３６…被引掛部
３７…当て部
３８…引掛部
６０…ハウジング
６１…キャビティ
６３…係止面
【図１】
2020087844.tif 000003
【図２】
2020087844.tif 000004
【図３】
2020087844.tif 000005
【図４】
2020087844.tif 000006
【図５】
2020087844.tif 000007
【図６】
2020087844.tif 000008
【図７】
2020087844.tif 000009